【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
ファイル・システム・メタデータを生成するためにコンピュータに実施させる方法（以下、「コンピュータ実施方法」）であって、
ファイル・システムにおいて複数のデータ単位を識別するステップと、
前記複数のデータ単位のうちのデータ単位がファイル・システム・メタデータを含むかどうかを判定するステップと、
前記データ単位が前記ファイル・システム・メタデータを含むとの判定に応答して、前記ファイル・システム・メタデータを前記データ単位から診断ファイル・システムに書き込むステップと、
前記データ単位がユーザ・データを含むかどうかを判定するステップと、
前記データ単位がユーザ・データを含むとの判定に応答して、スパース・オブジェクトを前記ファイル・システム・メタデータに関連する診断ファイルに書き込むステップとを含む、ファイル・システム・メタデータを生成するためのコンピュータ実施方法。
【請求項２】
前記診断ファイルを前記診断ファイル・システムに関連付けるステップと、
前記診断ファイル・システムをマウントするステップとをさらに含む、請求項１に記載のファイル・システム・メタデータを生成するためのコンピュータ実施方法。
【請求項３】
前記診断ファイルを稠密診断データに統合するステップをさらに含む、請求項１に記載のファイル・システム・メタデータを生成するためのコンピュータ実施方法。
【請求項４】
統合するステップが、
前記診断ファイルを前記診断ファイル・システムに保存するステップと、
前記診断ファイル・システムを圧縮するステップとをさらに含む、請求項３に記載のファイル・システム・メタデータを生成するためのコンピュータ実施方法。
【請求項５】
前記稠密診断データを送信するステップをさらに含む、請求項３に記載のファイル・システム・メタデータを生成するためのコンピュータ実施方法。
【請求項６】
統合するステップが、
前記診断ファイル・システムをファイルとして保存するステップと、
前記ファイルを圧縮して前記稠密診断データを形成するステップとをさらに含む、請求項５に記載のファイル・システム・メタデータを生成するためのコンピュータ実施方法。
【請求項７】
前記診断ファイル・システムを生成するステップと、
前記診断ファイル・システムをマウントするステップとをさらに含む、請求項５に記載のファイル・システム・メタデータを生成するためのコンピュータ実施方法。
【請求項８】
統合するステップが、
前記診断ファイル・システムをファイルとして保存するステップと、
前記ファイルを稠密診断データに圧縮するステップとをさらに含む、請求項７に記載のファイル・システム・メタデータを生成するためのコンピュータ実施方法。
【請求項９】
データ単位がブロックを含む、請求項８に記載のファイル・システム・メタデータを生成するためのコンピュータ実施方法。
【請求項１０】
判定する前記ステップと、前記スパース・オブジェクトを書き込む前記ステップとが、前記複数のデータ単位のうちの各データ単位について繰り返される、請求項１に記載のファイル・システム・メタデータを生成するためのコンピュータ実施方法。
【請求項１１】
バスと、
前記バスに接続され、コンピュータ使用可能コードが配置される記憶装置と、
前記バスに接続される通信ユニットと、
前記バスに接続される処理ユニットであって、ファイル・システム・メタデータを生成するコンピュータ使用可能コードを実行し、さらにファイル・システムにおいて複数のデータ単位を識別し、データ単位がファイル・システム・メタデータを含むかどうかを判定し、前記データ単位が前記ファイル・システム・メタデータを含むとの判定に応答して、前記ファイル・システム・メタデータを前記データ単位から診断ファイル・システムに書き込み、前記データ単位がユーザ・データを含むかどうかを判定し、前記データ単位がユーザ・データを含むとの判定に応答して、スパース・オブジェクトを前記ファイル・システム・メタデータに関連する診断ファイルに書き込むコンピュータ使用可能コードを実行する処理ユニットとを含む、データ処理システム。
【請求項１２】
前記処理ユニットがさらに、判定するコンピュータ使用可能コードを前記複数のデータ単位のうちの各データ単位について繰り返し実行し、また前記データ単位が前記ファイル・システム・メタデータを含むとの判定に応答して、ファイル・システム・メタデータを前記データ単位から書き込むコンピュータ使用可能コードを繰り返し実行するコンピュータ使用可能コードを実行する、請求項１１に記載のデータ処理システム。
【請求項１３】
ファイル・システム・メタデータを生成するための機器であって、
ファイル・システムにおいて複数のデータ単位を識別する手段と、
横断する手段に結合された、前記データ単位がファイル・システム・メタデータを含むかどうかを判定する手段と、
前記データ単位が前記ファイル・システム・メタデータを含むと判定した手段に応答して、前記ファイル・システム・メタデータを前記データ単位から診断ファイル・システムに書き込む手段と、
メタデータの単位を診断ファイルに書き込む前記手段に結合された、前記データ単位がユーザ・データを含むかどうかを判定する手段と、
前記データ単位がユーザ・データを含むと判定した手段に応答して、スパース・オブジェクトを前記ファイル・システム・メタデータに関連する診断ファイルに書き込む手段とを含む、ファイル・システム・メタデータを生成するための機器。
【請求項１４】
判定する前記手段と、前記スパース・オブジェクトを書き込む前記手段とを繰り返し利用する手段をさらに含む、請求項１３に記載のファイル・システム・メタデータを生成するための機器。
【請求項１５】
ファイル・システムにサービス提供するための方法であって、
前記ファイル・システムから診断ファイル・システムを生成するためのコンピュータ使用可能プログラム・コードを顧客に送るステップであって、前記コンピュータ使用可能プログラム・コードは、ファイル・システム・メタデータを前記ファイル・システム・メタデータを含む各データ単位から診断ファイル・システムに書き込み、ユーザ・データを含む各データ単位についてスパース・オブジェクトを診断ファイルに書き込み、診断ファイルは前記ファイル・システム・メタデータに関連するステップと、
前記診断ファイル・システムを顧客から受け取るステップと、
前記診断ファイル・システムにサービス提供して、サービス済ファイル・システムを形成するステップと、
前記サービス済ファイル・システムを前記顧客に返送するステップとを含む、方法。
【請求項１６】
サービス提供する前記ステップが、
前記診断ファイル・システムにおいて保守を実行して、前記サービス済ファイル・システムを形成するステップを含む、請求項１５に記載の方法。
【請求項１７】
サービス提供する前記ステップが、
前記診断ファイル・システムにおいて回復動作を実行して、前記サービス済ファイル・システムを形成するステップを含む、請求項１５に記載の方法。
【請求項１８】
前記診断ファイル・システムにサービス提供した際に提供されたサービスについて前記顧客に請求を行うステップをさらに含む、請求項１５に記載の方法。
【請求項１９】
ファイル・システム・メタデータを生成するコンピュータ使用可能プログラム・コードを有するコンピュータ・プログラムであって、
ファイル・システムにおいて複数のデータ単位を識別するコンピュータ使用可能プログラム・コードと、
前記データ単位がファイル・システム・メタデータを含むかどうかを判定するコンピュータ使用可能プログラム・コードと、
前記データ単位が前記ファイル・システム・メタデータを含むとの判定に応答して、前記ファイル・システム・メタデータを前記データ単位から診断ファイル・システムに書き込むコンピュータ使用可能プログラム・コードと、
前記データ単位がユーザ・データを含むかどうかを判定するコンピュータ使用可能プログラム・コードと、
前記データ単位がユーザ・データを含むとの判定に応答して、スパース・オブジェクトを前記ファイル・システム・メタデータに関連する診断ファイルに書き込むコンピュータ使用可能プログラム・コードとを含む、コンピュータ・プログラム。